(57)【要約】【課題】容易にランナーを小さく分断して廃棄することができるプラスチックモデルキットを提供する。【解決手段】ランナー１０と、ランナー１０に支持された部品２０とを有している。ランナー１０には、少なくとも１つの狭窄部１４が形成されており、この狭窄部１４において切断することによりランナー１０を小さく分断して廃棄することができるようになっている。狭窄部１４は、ランナー１０の外枠１１に形成することが好ましく、例えば、外枠１１の角部１１Ａや、外枠１１と枝枠１２との交差部１１Ｂなどに形成すればより好ましい。【選択図】図１
2010228137.tif 000002
【特許請求の範囲】
【請求項１】
部品がランナーにより支持されたプラスチックモデルキットであって、
前記ランナーに狭窄部が形成されたことを特徴とするプラスチックモデルキット。
【請求項２】
前記狭窄部は、前記ランナーの外枠に形成されたことを特徴とする請求項１記載のプラスチックモデルキット。
【請求項３】
前記狭窄部は、前記ランナーの外枠と、この外枠に接続されている枝枠との交差部、および、枝枠と枝枠との交差部のうちの少なくとも一部に形成されたことを特徴とする請求項１または請求項２記載のプラスチックモデルキット。
【請求項４】
前記狭窄部は、前記ランナーの外枠の角部に形成されたことを特徴とする請求項１から請求項３のいずれか１に記載のプラスチックモデルキット。
【請求項５】
前記狭窄部は、前記ランナーの外枠と、この外枠に接続されている部品支持枠との交差部、および、前記ランナーの枝枠と、この枝枠に接続されている部品支持枠との交差部のうちの少なくとも一部に形成されたことを特徴とする請求項１から請求項４のいずれか１に記載のプラスチックモデルキット。
【発明の詳細な説明】
【技術分野】
【０００１】
本発明は、部品がランナーにより支持されたプラスチック製のプラスチックモデルキットに関する。
【背景技術】
【０００２】
従来より、組み立て玩具として、プラスチックよりなるプラスチックモデルキットが知られている。プラスチックモデルキットとしては、例えば、射出成形により形成され、部品がランナーにより支持されたものがある（例えば、特許文献１参照）。このプラスチックモデルキットでは、例えば、部品とランナーとの接続部分に形成されたゲートにおいて、部品をランナーから切り離して用いる。部品を切り離した後のランナーは廃棄される。
【先行技術文献】
【特許文献】
【０００３】
【特許文献１】特開平５−３０５１８５号公報
【発明の概要】
【発明が解決しようとする課題】
【０００４】
しかしながら、ランナーは硬くてしかもかさばるので、ごみとして廃棄するのが大変であった。また、ランナーを小さく分断して廃棄しようとすると、ニッパーなどで切断しなければならないが、ランナーは部品とランナーとを接続しているゲートと異なり太さが太いので、切断するのに大きな力が必要であり、特に子供には危ないという問題があった。
【０００５】
本発明は、このような問題に基づきなされたものであり、容易にランナーを小さく分断して廃棄することができるプラスチックモデルキットを提供することを目的とする。
【課題を解決するための手段】
【０００６】
本発明のプラスチックモデルキットは、部品がランナーにより支持されたものであって、ランナーに狭窄部が形成されたものである。
【発明の効果】
【０００７】
本発明のプラスチックモデルキットによれば、ランナーに狭窄部が形成されているので、狭窄部において容易にランナーを切断することができる。よって、ランナーを小さく分断して簡単に廃棄することができる。
【０００８】
特に、狭窄部をランナーの外枠に形成するようにすれば、または、狭窄部をランナーの外枠と、この外枠に接続されている枝枠との交差部、および、枝枠と枝枠との交差部のうちの少なくとも一部に形成するようにすれば、または、狭窄部をランナーの外枠の角部に形成するようにすれば、または、狭窄部をランナーの外枠と、この外枠に接続されている部品支持枠との交差部、および、ランナーの枝枠と、この枝枠に接続されている部品支持枠との交差部のうちの少なくとも一部に形成するようにすれば、より高い効果を得ることができる。
【図面の簡単な説明】
【０００９】
【図１】本発明の一実施の形態に係るプラスチックモデルキットの構成を表す図である。
【図２】図１に示したプラスチックモデルキットにおいてランナーから部品を切り離した状態を表す図である。
【図３】図２に示したランナーを分断した状態を表す図である。
【図４】図１に示したプラスチックモデルキットの変形例を表す図である。
【発明を実施するための形態】
【００１０】
以下、本発明の実施の形態について、図面を参照して詳細に説明する。
【００１１】
図１は本発明の一実施の形態に係るプラスチックモデルキットの構成を表すものである。このプラスチックモデルキットは、例えば、射出成形により形成されたものであり、ランナー１０と、ランナー１０に支持された部品２０とを有している。ランナー１０は、例えば、射出成形の際に溶融樹脂が流れる通り道であったところであり、成形後は部品２０の支持部材として機能するものである。ランナー１０と部品２０との接続部分には、ゲート３０が形成されており、部品２０は、ゲート３０においてランナー１０から切り離して用いられる。ゲート３０は、射出成形の際に、溶融樹脂の注入量を調整するためのものであり、ランナー１０よりも太さが細く、または厚みが薄く、または太さが細くかつ厚みが薄くなっている。
【００１２】
ランナー１０は、例えば、部品全体を囲む外枠１１と、外枠１１から分岐され、外枠１１の一部と他の一部とを接続するように形成された枝枠１２と、外枠１１または枝枠１２と部品２０とを接続するように形成された部品支持枠１３とを有している。また、ランナー１０には、少なくとも１つの狭窄部１４が形成されている。これにより、例えば、図２に示したように、部品２０を切り離した後のランナー１０を、図３に示したように、狭窄部１４において切断して小さく分割することができるようになっている。狭窄部１４は、例えば、太さが他の部分よりも細く形成されることにより狭窄されたものでもよく、また、厚みが他の部分よりも薄く形成されることにより狭窄されたものでもよく、また、太さが他の部分よりも細くかつ厚みが他の部分よりも薄く形成されることにより狭窄されたものでもよい。
【００１３】
狭窄部１４は、例えば、外枠１１に設けられていることが好ましい。外枠１１が最も大きくかさばるからである。その場合、例えば、外枠１１の角部１１Ａに設けることが好ましい。ランナー１０を効率よく小さく分断することができるからである。
【００１４】
また、狭窄部１４は、外枠１１と、この外枠１１に接続されている枝枠１２との交差部１１Ｂ、および、枝枠１２と枝枠１２との交差部１２Ａのうちの少なくとも一部に設けられていることが好ましい。例えば図３に示したように、ランナー１０を直線状に小さく分断することができると共に、予備部品、補助部品あるいは取替部品などの直には使用しない部品２１をその周りの外枠１１Ｃまたは枝枠１２Ｂに接続したまま、その外枠１１または枝枠１２の部分を全体から切り離して保存しておくこともできるからである。
【００１５】
更に、外枠１１と、この外枠１１に接続されている部品支持枠１３との交差部１１Ｄ、および、枝枠１２と、この枝枠１２に接続されている部品支持枠１３との交差部１２Ｃのうちの少なくとも一部に設けるようにすればより好ましい。ランナー１０をより直線状に小さく分断することができるからである。
【００１６】
なお、狭窄部１４を設ける位置は、狭窄部１４においてランナー１０を切断した後の長さが、３０ｃｍ以下、更には２５ｃｍ以下、更には２０ｃｍ以下となるようにすることが好ましい。小さく分断することができるので、廃棄に便利だからである。
【００１７】
このプラスチックモデルキットでは、例えば図２に示したように、ゲート３０において部品２０をランナー１０から切り離して用いる。部品２０を切り取った後のランナー１０は、狭窄部１４において手またはニッパーなどにより切断され、例えば図３に示したように、小さく分断して廃棄される。また、予備部品などの直には使用しない部品２１がある場合には、その部品２１をその周りの外枠１１Ｃまたは枝枠１２Ｂと共に残し、ランナー１０の他の部分を狭窄部１４において切り離して廃棄する。
【００１８】
このように本実施の形態によれば、ランナー１０に少なくとも１つの狭窄部１４を形成するようにしたので、子供でも狭窄部１４において手またはニッパーなどで容易にランナー１０を切断することができる。よって、ランナー１０を簡単かつ安全に小さく分断して廃棄することができる。
【００１９】
特に、狭窄部１４をランナー１０の外枠１１に形成するようにすれば、または、狭窄部１４をランナー１０の外枠１１と枝枠１２との交差部１１Ｂ、および、枝枠１２と枝枠１２との交差部１２Ａのうちの少なくとも一部に形成するようにすれば、または、狭窄部１４をランナー１０の外枠１１の角部１１Ａに形成するようにすれば、または、狭窄部１４をランナー１０の外枠１１と部品支持枠１３との交差部１１Ｄ、および、枝枠１２と部品支持枠１３との交差部１２Ｃのうちの少なくとも一部に形成するようにすれば、より高い効果を得ることができる。
【００２０】
以上、実施の形態を挙げて本発明を説明したが、本発明は上記実施の形態に限定されるものではなく、種々変形可能である。例えば、上記実施の形態では、狭窄部１４を設ける位置を具体的に説明したが、一定の間隔を開けて設けるなど任意に設定してもよい。また、上記実施の形態では、外枠１１と枝枠１２との交差部１１Ｂ、枝枠１２と枝枠１２との交差部１２Ａ、外枠１１と部品支持枠１３との交差部１１Ｄ、または枝枠１２と部品支持枠１３との交差部１２Ｃに狭窄部１４を設ける位置について、具体的に図示したが、例えば、図４に示した位置に設けるようにしてもよい。なお、図４では、外枠１１と枝枠１２との交差部１１Ｂについて示したが、枝枠１２と枝枠１２との交差部１２Ａに設ける場合には、図４の外枠１１を枝枠１２に代え、外枠１１と部品支持枠１３との交差部１１Ｄに設ける場合には、図４の枝枠１２を部品支持枠１３に代え、枝枠１２と部品支持枠１３との交差部１２Ｃに設ける場合には、図４の外枠１１を枝枠１２に代え、枝枠１２を部品支持枠１３に代えた位置となる。
【産業上の利用可能性】
【００２１】
プラスチックモデルキットに用いることができる。
【符号の説明】
【００２２】
１０…ランナー、１１…外枠、１１Ａ…角部、１１Ｂ,１１Ｄ…交差部、１２…枝枠、１２Ａ,１２Ｃ…交差部、１３…部品支持枠、１４…狭窄部、２０…部品、３０…ゲート
【図１】
2010228137.tif 000003
【図２】
2010228137.tif 000004
【図３】
2010228137.tif 000005
【図４】
2010228137.tif 000006
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
部品がランナーにより支持されたプラスチックモデルキットであって、
前記ランナーは、前記部品を囲む外枠と、この外枠から分岐され、外枠の一部と他の一部とを接続するように形成された枝枠と、前記外枠または前記枝枠と前記部品とを接続するように形成された部品支持枠とを有し、
前記ランナーには狭窄部が形成され、
前記狭窄部は、
前記外枠の角部と、
前記外枠と前記枝枠との交差部、および、前記枝枠と前記枝枠との交差部のうちの少なくとも一部と、
前記外枠と前記部品支持枠との交差部、および、前記枝枠と前記部品支持枠との交差部のうちの少なくとも一部と
に形成されたことを特徴とするプラスチックモデルキット。
【手続補正２】
【補正対象書類名】明細書
【補正対象項目名】０００６
【補正方法】変更
【補正の内容】
【０００６】
本発明のプラスチックモデルキットは、部品がランナーにより支持されたものであって、ランナーは、部品を囲む外枠と、この外枠から分岐され、外枠の一部と他の一部とを接続するように形成された枝枠と、外枠または枝枠と部品とを接続するように形成された部品支持枠とを有し、ランナーには狭窄部が形成され、狭窄部は、外枠の角部と、外枠と枝枠との交差部、および、枝枠と枝枠との交差部のうちの少なくとも一部と、外枠と部品支持枠との交差部、および、枝枠と部品支持枠との交差部のうちの少なくとも一部とに形成されたものである。